(57)【要約】【課題】ユーザーの様々な握り方に適合する、硬質材料からなる把持部を有した筆記具を提供する。【解決手段】軸筒４と、軸筒４の外周に配置された連続するリング状部材５とを具備し、リング状部材５ａの各々の内径が、軸筒４の外径よりも大きく形成され、リング状部材５ａの各々が、軸筒４に対して径方向に移動できることを特徴とする筆記具１。【選択図】図１
2016020074.tif 000002
【特許請求の範囲】
【請求項１】
軸筒と、該軸筒の外周に配置された連続するリング状部材とを具備し、
前記リング状部材の各々の内径が、前記軸筒の外径よりも大きく形成され、
前記リング状部材の各々が、前記軸筒に対して径方向に移動できることを特徴とする筆記具。
【請求項２】
前記リング状部材が硬質材料からなることを特徴とする請求項１に記載の筆記具。
【請求項３】
前記リング状部材が、別体に形成されていることを特徴とする請求項１又は２に記載の筆記具。
【請求項４】
前記軸筒の軸線方向における前記複数のリング状部材の両端の位置が、前記軸線方向に調整可能であることを特徴とする請求項１から３のいずれか一項に記載の筆記具。
【請求項５】
前記軸筒の外周面と前記リング状部材の内周面との間に、前記軸筒の軸線方向に対して平行な方向に延びる弾性部材が配置されていることを特徴とする請求項１から４のいずれか一項に記載の筆記具。
【請求項６】
前記リング状部材が、軸線方向に対して傾斜した傾斜部を有することを特徴とする請求項１から４のいずれか一項に記載の筆記具。
【請求項７】
前記リング状部材を軸線方向に付勢する弾性部材をさらに有することを特徴とする請求項６に記載の筆記具。
【発明の詳細な説明】
【技術分野】
【０００１】
本発明は、筆記具に関する。
【背景技術】
【０００２】
一般的に筆記具は、ユーザーの個々の癖等によって様々な握り方で把持される。把持部が様々な握り方に容易に適合する構成であれば、指と把持部との接触面積が増加して把持圧が分散されるため、持ち易さが向上し、長時間の使用時の疲労が低減されるため好ましい。このような把持部を実現するため、把持部にゴム、エラストマー等のような大きな弾性を有する材料を備えることによって、把持したときに把持部自体が変形され、ユーザーによる様々な握り方に適合するような筆記具の構成が公知である（特許文献１及び特許文献２）。
【先行技術文献】
【特許文献】
【０００３】
【特許文献１】特開２００４−２９１６１２号公報
【特許文献２】特開平１１−３１４４８５号公報
【発明の概要】
【発明が解決しようとする課題】
【０００４】
把持部に、ゴム、エラストマー等の大きな弾性を有する材料を備えた場合、材料の性質上、膨潤によって把持部が軸筒から脱落するといった問題や、把持部の表面の汚れが容易に落とせないといった問題がある。
【０００５】
そのため、汚れを容易に落とすことのできる金属材料を把持部として用いた筆記具が公知であるが、把持部を金属材料にした場合、金属は比較的硬質であるため、前述した大きな弾性を有する材料のように、ユーザーによる様々な握り方に適合させることが困難となる。
【０００６】
そこで、本発明は、ユーザーの様々な握り方に適合する把持部を有した筆記具を提供することを目的とする。
【課題を解決するための手段】
【０００７】
請求項１に記載の発明によれば、軸筒と、軸筒の外周に配置された連続するリング状部材とを具備し、リング状部材の各々の内径が、軸筒の外径よりも大きく形成され、リング状部材の各々が、軸筒に対して径方向に移動できることを特徴とする筆記具が提供される。
【０００８】
請求項２に記載の発明によれば、リング状部材が硬質材料からなることを特徴とする筆記具が提供される。
【０００９】
請求項３に記載の発明によれば、リング状部材が、別体に形成されていることを特徴とする筆記具が提供される。リング状部材は、部材の各々が一部連結して移動可能としてもよい。
【００１０】
また、別の態様によれば、リング状部材の各々が、軸筒の軸線方向周りに回転可能であることを特徴とする筆記具が提供される。
【００１１】
また、別の態様によれば、複数のリング状部材が、コイルばねであることを特徴とする筆記具が提供される。
【００１２】
請求項４に記載の発明によれば、軸筒の軸線方向における複数のリング状部材の両端の位置が、軸線方向に調整可能であることを特徴とする筆記具が提供される。
【００１３】
請求項５に記載の発明によれば、軸筒の外周面とリング状部材の内周面との間に、軸筒の軸線方向に対して平行な方向に延びる弾性部材が配置されていることを特徴とする筆記具が提供される。
【００１４】
請求項６に記載の発明によれば、リング状部材が、軸線方向に対して傾斜した傾斜部を有することを特徴とする筆記具が提供される。
【００１５】
請求項７の記載の発明によれば、リング状部材を軸線方向に付勢する弾性部材をさらに有することを特徴とする筆記具が提供される。
【００１６】
また、リング状部材が、筆記動作時における筆記具の把持部に配置されたことを特徴とする筆記具とすることが望ましい。
【発明の効果】
【００１７】
各請求項に記載の発明によれば、ユーザーによる様々な握り方に適合する把持部を有した筆記具を提供することができる。
【図面の簡単な説明】
【００１８】
【図１】本発明に係る筆記具の筆記状態における正面図である。
【図２】図１の筆記具の非筆記状態における縦方向の断面図である。
【図３】図２の線Ａ−Ａの断面の概略図である。
【図４】図３の空間の一部に弾性部材を配置した一実施例を示す。
【図５】本発明に係る別の実施形態の筆記具の筆記状態における正面図である。
【図６】図５の筆記具の非筆記状態における縦方向の断面図である。
【図７】本発明に係る別の実施形態の筆記具の筆記状態における正面図である。
【図８】図７の筆記具の非筆記状態における縦方向の断面図である。
【図９】図８の前軸、スプリング、及び、把持部のみを示した図である。
【発明を実施するための形態】
【００１９】
以下、図面を参照しながら本発明の実施の形態を詳細に説明する。全図面に亘り、対応する構成要素には共通の参照符号を付す。
【００２０】
図１は本発明に係る筆記具１の筆記状態における正面図であり、図２は図１の筆記具１の非筆記状態における縦方向の断面図であり、図３は図２の線Ａ−Ａの断面の概略図である。
【００２１】
図１において、筆記具１は、前軸２及び前軸２の後方に位置する後軸３からなる、筒形状に形成された軸筒４と、筆記具１の把持部５と、筆記具１の前端部の口金６と、口金６から前方へと突出する筆記部７と、筆記具１の後端部の操作部８と、内筒９と、を有する。
【００２２】
本明細書では、筆記具１の軸線方向において、筆記部７側を「前」側と規定し、筆記部７とは反対側を「後」側と規定する。
【００２３】
図２において、前軸２及び後軸３は、それぞれ、前軸後端螺合部２ａ及び後軸前端螺合部３ａで互いに螺合させることによって結合される。また、前軸２及び口金６は、それぞれ、前軸前端螺合部２ｂ及び口金螺合部６ａで互いに螺合させることによって結合される。これらの結合はねじ結合によるものであるが、その他の結合方法であってもよい。
【００２４】
軸筒４の内部には、前端に筆記部７を有するリフィル１０が配置されている。リフィル１０はその前部を、口金６によって一端が支持されたスプリング１１によって後方へと付勢される。その付勢力は、リフィル１０を介して、ノック機構１２を構成する回転子１３を、後方へと付勢する。
【００２５】
後軸３の後端に配置された内筒９の内面には、径方向内側に突出し且つ筆記具１の軸線方向に沿って延びる複数のカム部１４が、周方向に沿って等間隔に形成されている。軸筒４を構成する前軸２、後軸３、及び、内筒９は、例えばポリカーボネート樹脂等といった比較的硬質の樹脂材料から形成されている。
【００２６】
ノック機構１２は、内筒９内に前後方向に移動可能に配置された回転子１３と、内筒９内に後端から突出して且つ前後方向に移動可能な操作部８と、を有する公知の機構である。前述したように、ノック機構１２はスプリング１１によって付勢されたリフィル１０を介して後方へ付勢されている。ノック操作は、操作部８を前方に向かって押圧することによって行われる。
【００２７】
ノック操作を行うと、操作部８の移動によって回転子１３が前方へ押圧され、回転子１３と内筒９のカム部１４の前端面とが係止し、筆記具１は、筆記部７が口金６の前端よりも突出した筆記状態（図１）を維持する。再びノック操作を行うと、操作部８の移動によって回転子１３が前方へ押圧され、回転子１３と内筒９のカム部１４の前端面との係止が解除される。このため、スプリング１１の付勢力によってノック機構１２が後方へ移動し、それによって筆記部７も口金６の前端より後方へと移動し、非筆記状態となる（図２）。別の実施形態として、操作部８は、後軸３の後端以外の場所に設けられてもよい。
【００２８】
前述したように、前軸２は、後部において前軸後端螺合部２ａを有し、前部において前軸前端螺合部２ｂを有する。前軸後端螺合部２ａと前軸前端螺合部２ｂとの間には、軸線方向へと延びる円筒部２ｃを有する。また、円筒部２ｃの後端には、円筒部２ｃの外径よりも大きな外径を形成するように径方向外側へと延びる鍔部２ｄを有する。鍔部２ｄはその前部において径方向に延びる平面である鍔部前端面２ｅを有し、その鍔部前端面２ｅから、前述した円筒部２ｃが軸線方向前方へと伸びて形成される。
【００２９】
本実施形態において把持部５は、各々別体に形成された複数のリング状部材５ａを、軸線方向に沿って配置することによって構成される。リング状部材５ａは、ワッシャーのような中心穴を有した環状の部材である。把持部５、すなわち複数のリング状部材５ａは、前軸２の鍔部前端面２ｅと口金６の後端である口金後端面６ｂとの間に、それぞれが密接して挟み込まれるようにして配置される。これにより、把持部５の軸線方向への移動は拘束されるが、径方向への移動、及び、軸線周りの回転方向については、隣接するリング状部材５ａ間の摩擦を除いて拘束されず、自由に回転させることができる。
【００３０】
１つの実施形態として、前述した把持部５を挟み込む鍔部前端面２ｅと口金後端面６ｂとの間の距離、すなわち、挟み込む力を調整できるような機構を設けることができる。例えば、鍔部前端面２ｅ及び口金後端面６ｂが、ねじ部を有した移動機構であってもよい。その移動機構を回転させることによって、筆記具１の軸線方向に前後に移動させ、把持部５を挟み込む距離、又は、挟み込む力を調整してもよい。
【００３１】
図３において、前軸２の円筒部２ｃの外周には、把持部５を構成するリング状部材５ａが配置される。リング状部材５ａの内径は、円筒部２ｃの外径よりも大きいため、リング状部材５ａの内周面と円筒部２ｃの外周面との間は、少なくとも一部において空間１６を形成して離間される。したがって、リング状部材５ａは、空間１６の範囲内で、円筒部２ｃに対して自由に移動することが可能である。
【００３２】
この移動の際、上述した鍔部前端面２ｅと口金後端面６ｂとの間で密接して挟み込まれるような把持部５の配置によって、それぞれの隣接したリング状部材５ａ間において、径方向への移動に抗する摩擦力が生じる。したがって、ユーザーが把持部５を把持してリング状部材５ａがその径方向へと移動されると、その摩擦力、又は、リフィル１０の外周面との当接によって、リング状部材５ａがその位置で維持されるという効果を奏する。摩擦力の調整のため、リング状部材５ａの軸線方向における前面及び後面の表面粗さを調整して摩擦係数を所定の値とすることも可能である。
【００３３】
図４は、図３で示した断面における空間１６の範囲内の一部に、弾性部材１７を設けた実施例である。弾性部材１７は、円形断面を有し、円筒部２ｃの周方向にそれぞれ１２０°の等間隔で円筒部２ｃの外周面に配置され、且つ、円筒部２ｃの軸線方向に対して平行な方向へと延びるように配置される。
【００３４】
リング状部材５ａが、径方向へと移動して弾性部材１７を押圧した場合、リング状部材５ａには、弾性部材１７の弾性によって、元の位置に復元する方向への力が働く。これによって、把持する際には弾性部材１７がリング状部材５ａの押圧に伴う移動によって押圧されるが、把持していないときには、弾性部材１７が元の形状へと復元される。したがって、リング状部材５ａが、図４に示した定位置へと復元され、把持部５全体としての意匠性を常に維持するといった効果を奏する。
【００３５】
弾性部材１７の形状、個数はこの実施例で示した態様に限定されず、弾性部材１７の断面形状は矩形であってもよく、弾性部材１７の個数は、３つ以外の個数であってもよいが、リング状部材５ａの径方向の全ての移動に対して、少なくとも１つの弾性部材１７が押圧され、リング状部材５ａを定位置へと復元させるような形状及び個数である構成が好適である。
【００３６】
図５は、本発明に係る別の実施形態の筆記具１の筆記状態における正面図であり、図６は、図５の筆記具の非筆記状態における縦方向の断面図である。
【００３７】
図５及び図６は、把持部１５を構成するリング状部材として弾性部材、例えばコイルばねを用いた実施形態であり、その他の構造については、図１及び図２と基本的に同じである。図示する通り、コイルばねは、螺旋状の線材が互いに接するまで圧縮された状態で鍔部前端面２ｅと口金後端面６ｂとの間に挟み込まれるようにして配置される。
【００３８】
図１及び図２の構成と同様、前軸２の円筒部２ｃの外周面と把持部１５の内周面との間は、少なくとも一部において空間１６を形成して離間される。この実施形態においては、把持によって変形されたコイルばねの反力によって、ユーザーの持ち易さが向上する。したがって、こうしたばねの反力を得るのに必要な変形のための空間さえ確保できていればよいため、図５及び図６の構成における空間１６は、図１及び図２の構成における空間１６よりも狭くてもよい。
【００３９】
この実施形態においては、積層されたリング状部材５ａによって把持部５が構成された図１及び図２の形態とは異なり、把持部１５が、連続した線材により構成されたコイルばねで構成されるため、把持しない場合においては、常に一定の形状が維持される。したがって、図４に示したような弾性部材１７がなくても同様な効果を有するが、図４と同様に、弾性部材１７を配置してもよい。
【００４０】
本実施形態においても、前述したような、把持部１５を挟み込む鍔部前端面２ｅと口金後端面６ｂとの間の距離、又は、挟み込む力を調整できるような機構を設けることができる。
【００４１】
筆記具１で筆記をするためには、前述したノック操作によって筆記部７を突出させた筆記状態とし、一方の手で筆記具１の把持部５を把持し、通常の筆記具と同様に筆記動作が可能となる。
【００４２】
図１及び図２で示した実施形態において把持部５を把持する場合、前述したように、把持部５を構成するそれぞれの隣接するリング状部材５ａ間の摩擦力に抗して付与される把持力によって、ユーザーの指の形状に沿うようにそれぞれのリング状部材５ａが、径方向へと移動する。これによって、ユーザーによる様々な握り方に適合することが可能となる。すなわち、どんな握り方にも対応可能となるという効果を奏する。
【００４３】
更に、個々のリング状部材５ａは、別体に形成されているため、軸筒４の軸線方向周りにそれぞれ自由に回転させることも可能であり、把持した状態で、持ちかえることなく、ユーザーにとって最適な握り方へと再適合させることができる。
【００４４】
図４に示すような弾性部材１７を空間１６内に配置すれば、把持しない状態において、リング状部材５ａを定位置に復元させることが可能となるため、意匠性を向上させるという効果を奏する。
【００４５】
この点において、把持部１５としてコイルばねを用いる実施形態においては、一度把持することによってコイルばねが変形したとしても、把持をやめると定位置へと復元するため、前述した弾性部材１７を空間１６内に配置しなくても同様な効果を奏する。
【００４６】
さらに、リング状部材５ａを金属のような硬質材料から形成することによって、汚れを容易に落とすことができるという効果を奏する。ここで、硬質材料とは、金属、非ゴム系（ゴム、エラストマー等のゴム弾性材料は除く）のプラスチック、紙、木等を含み、特に、環境により変質しにくい金属を用いることが望ましい。
【００４７】
図７は、本発明に係る別の実施形態の筆記具１の筆記状態における正面図であり、図８は、図７の筆記具の非筆記状態における縦方向の断面図である。図９は、図８の前軸２、スプリング１８、及び、把持部２５のみを示した図である。
【００４８】
図７乃至図９は、把持部２５として、図２におけるリング状部材５ａとは異なる形状からなる各々別体に形成されたリング状部材２５ａを用いた実施形態であり、その他の構造については、図１及び図２と基本的に同じである。図８に示すように、前軸２の円筒部２ｃの外周面と把持部２５の内周面との間は、図１及び図２の構成と同様、少なくとも一部において空間１６を形成して離間される。リング状部材２５ａは、把持部２５の前部がテーパ状となるように、軸線方向前方へと向かう方向で徐々にその外径が小さくなる。
【００４９】
図８に示す通り、リング状部材２５ａは、互いに接する状態で、鍔部前端面２ｅと口金後端面６ｂとの間に挟み込まれるようにして配置される。図９に示す通り、把持部２５の後端のリング状部材２５ａと鍔部前端面２ｅとの間にはスプリング１８が圧縮された状態で配置されており、リング状部材２５ａを軸線方向前方へと付勢する。
【００５０】
詳細には、把持部２５の後端のリング状部材２５ａは、後方突出部２５ｂを有しており、その後方突出部２５ｂの径方向内側においてスプリング１８を受容する。スプリング１８は、後方突出部２５ｂの径方向内側の平面部２０ａと鍔部前端面２ｅとの間で多少圧縮された状態で当接されるが、完全には圧縮されない。後方突出部２５ｂの後端と鍔部前端面２ｅとの間にはクリアランスがあるため、後方突出部２５ｂを有するリング状部材２５ａは、スプリング１８を更に圧縮させながら後方へと移動することができる。鍔部前端面２ｅは外周縁において前方突出部２ｆを有しており、前方突出部２ｆの内側において後方突出部２５ｂが受容される。この構成は、後方突出部２５ｂが径方向への移動を拘束され、軸線方向にのみ安定して移動することを可能とする。この後方突出部２５ｂの安定した軸線方向の移動は、スプリング１８を軸線方向にのみ安定して圧縮又は伸張させることを可能とする。図８に示すように、把持部２５の前端のリング状部材２５ａは平面部２０ｂを有しており、口金後端面６ｂに当接する。スプリング１８の付勢力、及び、リング状部材２５のそれぞれの自重による前方移動がこの当接により制限される。
【００５１】
ここで、把持部の前端及び後端以外のリング状部材２５ａの構造について詳細に説明する。図９に示すように、本実施形態においては、把持部２５を構成するリング状部材２５ａが、軸線方向に対して傾斜した傾斜部１９を有している。この傾斜部１９は、円錐の側面の一部のような形状を形成する。傾斜部１９の径方向外側端部及び内側端部には、軸線方向に対して垂直な平面部２０がそれぞれ形成される。傾斜部１９及び２つの平面部２０によって構成されるリング状部材２５ａの断面は、軸線方向周りに回転対称となる。
【００５２】
リング状部材２５ａに、図９で示す押圧方向Ａの方向で外力を加えると、互いに隣接するリング状部材２５ａ間の傾斜部１９に沿って、一方のリング状部材２５ａが、隣接する他方のリング状部材２５ａに対して移動する。このとき、外力を加えられた一方のリング状部材２５ａの径方向への移動が、傾斜部１９によって隣接する他方のリング状部材２５ａの、軸線方向への移動を生じさせる。これにより、複数のリング状部材２５ａによって構成される把持部２５全体の軸線方向長さが長くなり、したがって、把持部２５の後端のリング状部材２５ａを付勢するスプリング１８を、更に圧縮することとなる。この更なる圧縮により増大されたスプリング１８の軸線方向の付勢力は、リング状部材２５ａの傾斜部１９を介して径方向の力としてユーザーの指に働くため、持ち易さを向上させることができる。
【００５３】
ユーザーが把持部を解放すると、スプリング１８の付勢力によってリング状部材２５ａが元の位置へと戻る。この移動は、リング状部材２５ａの平面部２０によって最適な位置に制限される。一例として、この移動は、隣接するリング状部材２５ａの径方向外側平面間が、滑らかに連続的な配置となるような位置で静止されるように、平面部２０によって制限される。
【００５４】
把持部の後端のリング状部材部材２５ａは、前方にのみ傾斜部１９を有しており、後方においては、上述したように、後方突出部２５ｂと、スプリング１８を当接させる、後方突出部２５ｂの径方向内側の平面部２０ａと、前方突出部２ｆを当接させる、後方突出部２５ｂの径方向外側の平面部２０ｃと、を有するが、傾斜部１９は有しない。
【００５５】
把持部の前端のリング状部材２５ａは、後方にのみ傾斜部１９を有しており、前方においては、上述したように、口金後端面６ｂに当接する平面部２０ｂを有するが、傾斜部１９は有しない。
【００５６】
この実施形態においてリング状部材２５ａは、傾斜部１９を有していればその基本的機能を果たすことができ、例えば、平面部２０を有しない傾斜部１９のみの構造であってもよい。また、この実施形態は、リング状部材２５ａに限られるものではなく、傾斜部１９と同様な傾斜部を有した圧縮ばねによっても実現される。
【００５７】
更に、この実施形態においては、リング状部材２５ａを前方付勢するためのスプリング１８が用いられているが、別の例として、スプリング１８を有さず、リング状部材２５ａの自重による前方荷重のみによっても同様な効果を得ることができる。
【００５８】
また、この実施形態においては、図８及び図９に示されるように、傾斜部１９は、リング状部材２５の内径中心から径方向外側後方に向かって傾斜しているが、逆に径方向外側前方に向かって傾斜していてもよい。更に、スプリング１８は、把持部の前端のリング状部材２５ａと、口金後端面６ｂとの間に配置されてもよい。
【００５９】
本発明は、ノック機構１２を有しない筆記具であっても実現可能であり、前述したノック機構１２を有する構成に限定されるものではない。
【００６０】
図１及び図２において、把持部５は、３種類の外径からなるリング状部材５ａの積層からなり、外径が変化する位置において段状となるように構成されているが、本発明に係るリング状部材５ａ、２５ａは、全て同一の外径を有していてもよく、あるいは、全て異なる外径を有し、外径の大きい順に、又は、小さい順に配置することによって滑らかなテーパ状の積層となるように構成されてもよく、他の任意の組み合わせでもよい。
【００６１】
また、隣接するそれぞれのリング状部材５ａ間又は２５ａ間にリング状部材５ａ又は２５ａと同一の形状を有するゴム等を挟んでもよく、更に、意匠性を向上させるため、個々のリング状部材５ａ又は２５ａの色を様々な組み合わせにすることも可能である。
【００６２】
図３及び図４において、リング状部材５ａの断面の外径は、円形として示されているが、本発明に係るリング状部材５ａ、２５ａはこの形状に限定されるものではなく、六角形のような多角形であってもよく、本発明に係る別の実施形態においても同様である。
【００６３】
図５及び図６において、把持部１５は、１種類の外径からなるコイルばねとして構成されているが、複数の外径からなるコイルばねによって構成されてもよく、あるいは、外径がテーパ状に大きくなる、或いは、小さくなるように構成されてもよく、他の任意の組み合わせでもよい。
【００６４】
前述した実施例において、積層されたリング状部材５ａ、２５ａ及びコイルばねは、筆記具１を使用する際に把持する位置に配置されるものとして説明されてきたが、この位置への配置に限定されるものではなく、筆記具１を使用する際に把持されない位置、例えば、筆記具１の後端部に配置されてもよく、把持部以外の全範囲に配置されてもよく、或いは、把持部を含む全範囲に配置されてもよい。
【符号の説明】
【００６５】
１    筆記具
２    前軸
２ａ    前軸後端螺合部
２ｂ    前軸前端螺合部
２ｃ    円筒部
２ｄ    鍔部
２ｅ    鍔部前端面
２ｆ    前方突出部
３    後軸
３ａ    後軸前端螺合部
４    軸筒
５    把持部
５ａ    リング状部材
６    口金
６ａ    口金螺合部
６ｂ    口金後端面
７    筆記部
８    操作部
９    内筒
１０    リフィル
１１    スプリング
１２    ノック機構
１３    回転子
１４    カム部
１５    把持部
１６    空間
１７    弾性部材
１８    スプリング
１９    傾斜部
２０    平面部
２０ａ    平面部
２０ｂ    平面部
２０ｃ    平面部
２５    把持部
２５ａ    リング状部材
２５ｂ    後方突出部
Ａ    押圧方向
【図１】
2016020074.tif 000003
【図２】
2016020074.tif 000004
【図３】
2016020074.tif 000005
【図４】
2016020074.tif 000006
【図５】
2016020074.tif 000007
【図６】
2016020074.tif 000008
【図７】
2016020074.tif 000009
【図８】
2016020074.tif 000010
【図９】
2016020074.tif 000011